(57)【要約】【課題】 本考案は、新築する建築物・構造物について関係各者がすべての情報を正確に知り得て、誤りを正すチェック機能を有した検証システムを新規に提供するものである。【解決手段】 本考案は、建主，買主１と、行政，保険会社等２と、設計事務所等３と、映像・文書等の情報センター４と、施工会社５と、工事現場６とおよび設計・施工等をチェックする第三者機関７とをインターネット回線にて結んでネットワークを形成することにより、建築物・構造物等の許認可および施工の各段階に第三者機関のチェック機能が働くようにするとともに、Ｗｅｂサイトにて公開することで、該建築物・構造物の耐震性能の不足，部材の大きさの不足，鉄筋の太さ・本数・被り厚の不足等の検査項目を事前に察知できるようにし、事故の際の保険金の査定・支払いを迅速に行い得るようにしたことを特徴とする建築物・構造物の検証システムにある。【選択図】  図１
0003123042.tif 000002
【実用新案登録請求の範囲】
【請求項１】
建主，買主１と、行政，保険会社等２と、設計事務所等３と、映像・文書等の情報センター４と、施工会社５と、工事現場６とおよび設計・施工等をチェックする第三者機関７とをインターネット回線にて結んでネットワークを形成することにより、建築物・構造物等の許認可および施工の各段階に第三者機関のチェック機能が働くようにするとともに、Ｗｅｂサイトにて公開することで、該建築物・構造物の耐震性能の不足，部材の大きさの不足，鉄筋の太さ・本数・被り厚の不足等の検査項目を事前に察知できるようにし、事故の際の保険金の査定・支払いを迅速に行い得るようにしたことを特徴とする建築物・構造物の検証システム。
【請求項２】
設計および施工の各段階において３次元立体図面および３次元立体ビジュアルを加える請求項１に記載の建築物・構造物の検証システム。
【考案の詳細な説明】
【技術分野】
【０００１】
本考案は建築物・構造物の検証システム、詳しくは建築物・構造物の基礎，鉄筋の太さ，本数など、すべての情報をＷｅｂサイトにて第三者機関を交えて閲覧できるようにした検証システムに関するものである。
【背景技術】
【０００２】
建築物の耐震強度の偽装の発覚，その他の欠陥住宅の問題発生などにより、自分の住む建物は建築基準法に定められた耐震強度があるのかどうか、また設計図どおりに施工されているのかどうか、さらには設計図自体に誤りはないか、基礎杭の長さ太さが不明、鉄筋の太さ・本数も不明、柱や梁の大きさが設計図通りなのかどうかわからない、壁の厚さが確認できない、使用された材質、特にコンクリートの水，セメント比がわからず強度に心配がある等の不安がつきまとっている。
【特許文献１】なし
【考案の開示】
【考案が解決しようとする課題】
【０００３】
これらの不安は、ア．行政において許認可した図面，構造計算書等を第三者の専門家などによりチェックして誤りがないようにすること、イ．施工中に手抜きが発生しないようにすること、具体的には杭が支持地盤まで打ち込まれているか、鉄筋は太さおよび本数が設計図どおりか、強度が得られるコンクリートであるか、等々の確認を容易にできるようにすること、ウ．上記に関連して施工の状況を常に知り得るように３次元立体映像を含めて情報を開示して知り得るようにすること、エ．建主，買主などにおいて不安が生じたときは専門家に設計図と比較して見てもらう体制があること、オ．設計，施工資料を長期に保管して建築後もいつでも閲覧することができるようにすること、カ．事故の際の保険金の査定・支払いがスムースに行われること。などにより解消されるが、実現することができないでいるという課題がある。
【課題を解決するための手段】
【０００４】
本考案は建主，買主１と、行政，保険会社等２と、設計事務所等３と、映像・文書等の情報センター４と、施工会社５と、工事現場６とおよび設計・施工等をチェックする第三者機関７とをコンピュータ端末器，通信機器を用いてインターネット回線にて結んでネットワークを形成する検証システムにより、建築物・構造物等の許認可および施工の各段階に第三者機関のチェック機能が働くようにするとともに、Ｗｅｂサイトにて公開することで、建築物・構造物等の重要な検査項目を照査確認し、事故の際の保険金の査定・支払いを迅速に行い得るようにして、かかる課題を解決したのである。
【考案の効果】
【０００５】
本発明の検証システムによれば、建築物・構造物は企画・設計の段階で３次元立体図面，ビジュアル化することによって、主要部材の内部まで図面，映像にて可視することができ、また、施工前に施工段階の区分ごとの設計図書，工事仕様，工程表，工事業者などの情報を情報センター４に登録することができ、施工に必要なボーリングデータ，検査結果なども情報センター４に登録することができ、施工中は施工段階ごとに逐次携帯端末器などを利用して進捗状況を情報センター４に登録することができて、建築物・構造物に関するあらゆる情報をＷｅｂサイトにてリアルタイムでチェックすることができるようにしたのである。
【０００６】
これによって基礎においては、ボーリングデータと杭の実長や杭の位置がわかるようになる。
コンクリートにおいては、水・セメント比，スランプ調査などの記録やコンクリート量がわかるようになる。
部材においては、大きさや厚さがわかるようになる。
鉄筋においては太さと本数および材質、さらに被り厚がわかるようになる。
その他の工事においても段階や状況がわかるようになる。
３次元設計システムを利用することで、正確な部材数量が把握できるようになる。
建主，買主１、行政，保険会社２等は、いつでも現場の状況や品質を確認することができるようになる。
Ｗｅｂサイトにおいて、必要な人が必要な情報をいつでも見られるようになる。
工事内容について疑問点や問題点があった場合は、当該サイト上にて質疑応答することができ、また第三者機関に比較等を交えて当否を判断してもらえるようになる。
建築・構築工事の完了後も工事記録をＷｅｂサイトにて見ることで安全を確認することができる。
建主，買主１は、安心して建築物・構造物を販売あるいは利用することができることとなる。
施工時のデータベースがあることで、修繕や改築等の計画や工事費などの計画・立案が簡単にできるようになる。
３次元設計システムと積算システムを連動させることで、原価を容易に計算することができることになる。
以上によって建築物・構造物の耐震強度等の偽装，欠陥住宅の発生問題などは確実に防止され、万一の事故の際の保険金の査定・支払いがスムーズに行われることになるという効果を生ずる。
【考案を実施するための最良の形態】
【０００７】
建主，買主は本考案の検証システムのインターネットＷｅｂを利用することによって、建築・構築中の建築物・構造物については施工工事現場の映像および文書にて各段階において誤りのないことを確認できるようにし、建築・構築後の建築物・構造物については収録情報を管理している情報センターのｗｅｂサイトにて誤りの有無を正確に確認することができるようにするのである。
【実施例１】
【０００８】
図１は本考案の検証システムにおけるコンピュータ端末器，通信機器によるネットワーク構成を示すもので、インターネット回線にて、建主，買主１と，行政，保険会社等２と，設計事務所等３と、映像・文書等の情報センター４と，施工会社５と、工事現場６と、建築・設計および構造計算書のエキスパート，専用ツール等を備えて設計・施工等をチェックする第三者機関７とを結んでネットワークを形成し、建築物・構造物に関する企画・設計段階から許認可および施工の各段階の情報をＷｅｂサイト上にて公開するのである。
【０００９】
図２に示す本考案の検証システムの流れ
−企画・設計段階−
・建主，買主１が建築物・構造物の新築設計等を設計事務所等３に依頼する。
・設計事務所等３が企画・設計（設計の段階から３次元設計システムを使うことも可能）し、３次元ビジュアル化し、
・行政官庁等２に建築確認申請を行って許認可を得る。
・主要部材の内部まで可視することができ、施工段階の区分ごとの設計図書，工事仕様，工程などを情報センター４に登録する。
・建主，買主１が施工会社５に発注し契約を行う。
【００１０】
−施工前段階−
・工程表や工事業者などの情報を情報センター４に登録する。
・施工に必要なボーリングデータや検査結果などの基礎情報を情報センター４に登録する。
【００１１】
−施工段階−
・工事現場６において施工段階別の過程を逐次携帯端末などを利用して情報センター４に登録する。
−基礎においては、ボーリングデータと杭の実長や杭の位置がわかるようにする。
−コンクリートにおいては、水・セメント比，スランプ調査などの記録やコンクリート量がわかるようにする。
−部材においては、大きさや厚さがわかるようにする。
−鉄筋においては太さと本数および材質、さらに被り厚がわかるようにする。
−その他の工事においても段階や状況がリアルタイムでわかるようにする。
−３次元設計システムを利用することで、正確な部材数量が把握できるようにする。
・建主，買主１、行政，保険会社２等は、いつでも現場の状況や品質を確認することができるようにする。
−Ｗｅｂサイトにおいて、必要な人が必要な情報をいつでも見られるようにする。
−工事内容について疑問点や問題点があった場合は、当該サイト上にて応答することができ、第三者機関に比較等を交えて当否を判断してもらえるようにする。
【００１２】
−完了段階−
・工事現場６において工事が完了し、行政，保険会社等２の検査が行われる。
−工事記録をＷｅｂサイトにて見ることで安全を確認することができる。
−建主，買主１は、安心して建築物・構造物を販売あるいは利用することができる。
【００１３】
−維持管理その他−
・施工時のデータベースがあることで、修繕や改築等の計画や工事費などの計画・立案が簡単にできるようになる。
・３次元設計システムと積算システムを連動させることで、原価を容易に計算することができることになる。
【産業上の利用可能性】
【００１４】
本考案のシステムは以上のようにして、安全性，信頼性が確保できることで全国の新築，既設の建築物・構造物に適用することができることとなる。
【図面の簡単な説明】
【００１５】
【図１】本考案のネットワーク構成例を示す図
【図２】建築・構築の流れの概要を示すフロー図
【符号の説明】
【００１６】
１は建主，買主
２は行政・保険会社等
３は設計事務所等
４は情報センター
５は施工会社
６は工事現場
７は第三者機関
【図２】
0003123042.tif 000003
【図１】
0003123042.tif 000004
【手続補正書】
【提出日】平成18年4月28日(2006.4.28)
【手続補正１】
【補正対象書類名】実用新案登録請求の範囲
【補正対象項目名】全文
【補正方法】変更
【補正の内容】
【実用新案登録請求の範囲】
【請求項１】
建主，買主と、行政，保険会社等と設計事務所と、建築物，構造物の施工会社と、同、工事現場と、映像・文書等を登録する情報センターとおよび建築物，構造物の設計・施工等をチェックする第三者機関とをコンピュータ端末器，通信機器を用いてインターネット回線にて結んでネットワークを形成し、建築物・構造物等の建築許認可および施工の各段階を該インターネットのＷｅｂサイトにて公開することで該建築物・構造物の耐震性能の不足，部材の大きさの不足，鉄筋の太さ・本数・被り厚の不足等の検査項目を前記ネットワークに接続する第三者機関および建主，買主の携帯形を含むコンピュータ端末器，通信機器にて検証するようにしたことを特徴とする建築物・構造物の検証システム。
【請求項２】
設計および施工の各段階において３次元立体図面および３次元立体ビジュアルを出力する３次元設計システムを設けた請求項１に記載の建築物・構造物の検証システム。